(57)【特許請求の範囲】
【請求項１】
床を支持する束金物において、
基台と、この基台に設けられた結合穴と、下端部が前記基台内に侵入するように前記結合穴を貫通した状態で前記基台から鉛直方向に立ち上がるねじ軸と、前記基台より上方に位置するように前記ねじ軸に一体的に設けられた、前記ねじ軸を回転させるための工具を嵌合される横断面非円形状の工具嵌合部と、前記基台より上方において前記ねじ軸の外周に設けられた雄ねじ部と、内周に雌ねじ部を有し、この雌ねじ部を前記雄ねじ部に螺合されて、鉛直方向に立ち上がっており、床を支持する筒状材と、前記基台内において、前記ねじ軸に貫通されている皿ばねと、前記工具嵌合部の上方かつ前記筒状材の下方において前記雄ねじ部に螺合された基台側ロックナットとを有してなり、
前記ねじ軸の下端部がかしめ変形されることにより、前記基台に対する前記ねじ軸の回転は可能な状態で、前記ねじ軸のかしめ変形部と前記工具嵌合部との間に前記基台および前記皿ばねが挟まれ、かつ前記皿ばねが圧縮変形されて前記皿ばねの復元力が前記基台と前記ねじ軸との間に摩擦力を生じさせ、前記基台に対する前記ねじ軸の回転に対し制動力を作用させており、
前記基台側ロックナットは下方に開口する空間部を有し、この空間部は該基台側ロックナットの下端が前記基台の上面に当接されたとき、該基台側ロックナットと前記工具嵌合部とが干渉しないように前記工具嵌合部を収容するようになっている束金物。
【発明の詳細な説明】
【技術分野】
【０００１】
本発明は、建築物において床を支持する束金物に関する。
【背景技術】
【０００２】
従来より、この種の束金物の多くは、高さ調整を行うため、ターンバックル構造（筒状部材と、この筒状部材の上端側および下端側にそれぞれ螺合された右ねじのねじ軸および左ねじのねじ軸とを有してなる）を備えるとともに、このターンバックル構造で調整された高さをロック可能とするために該ターンバックル構造の各ねじ軸に螺合されたロックナットを備えていた（例えば、特許文献１参照）。
【先行技術文献】
【特許文献】
【０００３】
【特許文献１】特開２００２-２８５６７３号公報
【発明の概要】
【発明が解決しようとする課題】
【０００４】
このため、従来の束金物は、製造コストが高くなるという問題があった。
【０００５】
本発明は、このような従来の事情に鑑みてなされたもので、本発明の目的は、ターンバックル構造を備えることなく、高さ調整を行うことができ、製造コストの安価な束金物を提供することにある。
【０００６】
本発明のさらに他の目的は、以下の説明から明らかになろう。
【課題を解決するための手段】
【０００７】
本発明による束金物は、
床を支持する束金物において、
基台と、この基台に設けられた結合穴と、下端部が前記基台内に侵入するように前記結合穴を貫通した状態で前記基台から鉛直方向に立ち上がるねじ軸と、前記基台より上方に位置するように前記ねじ軸に一体的に設けられた、前記ねじ軸を回転させるための工具を嵌合される横断面非円形状の工具嵌合部と、前記基台より上方において前記ねじ軸の外周に設けられた雄ねじ部と、内周に雌ねじ部を有し、この雌ねじ部を前記雄ねじ部に螺合されて、鉛直方向に立ち上がっており、床を支持する筒状材と、前記基台内において、前記ねじ軸に貫通されている皿ばねと、前記工具嵌合部の上方かつ前記筒状材の下方において前記雄ねじ部に螺合された基台側ロックナットとを有してなり、
前記ねじ軸の下端部がかしめ変形されることにより、前記基台に対する前記ねじ軸の回転は可能な状態で、前記ねじ軸のかしめ変形部と前記工具嵌合部との間に前記基台および前記皿ばねが挟まれ、かつ前記皿ばねが圧縮変形されて前記皿ばねの復元力が前記基台と前記ねじ軸との間に摩擦力を生じさせ、前記基台に対する前記ねじ軸の回転に対し制動力を作用させており、
前記基台側ロックナットは下方に開口する空間部を有し、この空間部は該基台側ロックナットの下端が前記基台の上面に当接されたとき、該基台側ロックナットと前記工具嵌合部とが干渉しないように前記工具嵌合部を収容するようになっているものである。
【０００８】
本発明による束金物においては、高さ調整に関しては、まずねじ軸に対し筒状材を回転し、ねじ軸に対し筒状材を昇降することにより、粗い調整を行う。次に、工具嵌合部にレンチ等の工具を嵌合して基台および筒状材に対しねじ軸を回転し、ねじ軸に対し筒状材を昇降することにより、微調整を行う。
【０００９】
このように本発明による束金物は、ターンバックル構造を備えることなく、高さ調整を行うことができ、製造コストを安価にすることができる。
【発明の効果】
【００１０】
本発明の束金物は、ターンバックル構造を備えることなく、高さ調整を行うことができ、製造コストが安価である等の優れた効果を得られるものである。
【図面の簡単な説明】
【００１１】
【図１】本発明による束金物の参考例１を示す正面図である。
【図２】前記参考例１を示す縦断面図である。
【図３】図２の基部およびねじ軸の下端部付近を示す拡大図である。
【図４】図２のねじ軸と筒状材との螺合部付近を示す拡大図である。
【図５】本発明による束金物の実施例１の要部を示す縦断面図である。
【図６】本発明による束金物の参考例２の要部を示す縦断面図である。
【発明を実施するための形態】
【００１２】
以下、本発明を図面に示す実施例に基づいて説明する。
（参考例１）
【００１３】
図１〜４は本発明による束金物の参考例１を示している。束金物１の基台２は、鋼板等の金属板をプレス加工してなる。この基台２は、基礎コンクリートやコンクリート束石等の床基礎部（図示せず）上に載置され、接着剤および／またはボルト（図示せず）等により前記床基礎部に固定されるようになっている。この基台２の中央部にはプレス絞り加工により隆起部２ａが設けられている。この隆起部２ａの頂部は平面状とされており、この平面状の頂部の中央部には円形の結合穴２ｂが設けられている。図３によく示されるように、この結合穴２ｂは、プレス加工による下方に突出するバーリング穴とされている。
【００１４】
前記基台２には、以下に詳しく説明するような態様で、ねじ軸３が鉛直方向に立設されている。前記ねじ軸３の下端部付近には、横断面六角形状であり、該ねじ軸３の径方向に突出する工具嵌合部４が一体的に設けられている。この工具嵌合部４は、ねじ軸３を回転させたり、回り止めする際にレンチ等の工具を嵌合されるようになっている。前記ねじ軸３のうちの工具嵌合部４より上方の部分の外周には、雄ねじ部５が設けられている。前記ねじ軸３のうちの工具嵌合部４より下方の部分は、結合穴２ｂを貫通して基台２の隆起部２ａ内に侵入している。
【００１５】
前記基台２の隆起部２ａ内において、前記ねじ軸３のうちの工具嵌合部４より下方の部分は皿ばね６および座金７を貫通している。前記ねじ軸３の下端部は径方向に突出するよ
うにかしめ変形されている（符号８はこのかしめ変形部を示している）。これにより、かしめ変形部８と工具嵌合部４との間に上から順に基台２の隆起部２ａの頂部、皿ばね６および座金７が挟まれた状態になっている。ただし、ねじ軸３は基台２に対し回転可能となっている。また、前記かしめにより、皿ばね６が圧縮変形されて該皿ばね６の復元力（基台２に対しねじ軸３を下降させる方向に作用している）が基台２と前記ねじ軸３との間に摩擦力を生じさせ、基台２に対する前記ねじ軸３の回転に対し制動力を作用させるようになっている。
【００１６】
前記ねじ軸３の雄ねじ部５には、筒状材９の下端部に設けられた雌ねじ部１０が螺合されており、これにより筒状材９は鉛直方向に立ち上がっている。前記筒状材９は、鋼鉄等の金属からなり、基本的には横断面四角形の角パイプ状をなしているが、下端部付近を丸く絞られて小径とされており、この下端部付近の内周に前記雌ねじ部１０を設けられている。
【００１７】
前記雄ねじ部５には、工具嵌合部４の上方かつ前記筒状材９の下方において、筒状材側ロックナット１１が螺合されている。
【００１８】
前記筒状材９の上端部には、鋼板等の金属板をプレス加工してなり、水平部１２ａと側壁部１２ｂとを有するＬ字形の受け台１２がかしめにより固定的に取り付けられている。さらに詳しく言うと、図２に示されるように、前記受け台１２の水平部分１２ａの中心部に設けられた円形の結合穴１３に筒状材９を挿通した状態で、該筒状材９を軸方向に圧縮し、該筒状材９の周壁のうちの受け台１２の両側の部分を外側につば状に膨出して第一および第二の膨出部９ａ，９ｂを形成し、かつこれらの膨出部９ａ，９ｂにより受け台１２のうちの結合穴１３の周囲の部分を強く挾持させることにより、筒状材９に受け台１２が固定されている。
【００１９】
前記受け台１２上には、建物の大引１４が支持される。さらに詳しく言うと、受け台１２の水平部１２ａ上に大引１４が載置され、かつ大引１４の側面が受け台１２の側壁部１２ｂに接するようにされた上、受け台１２の側壁部１２ｂおよび／または水平部１２ａからビス留めまたは釘留めすることにより、大引１４が支持される（ビスおよび釘は図示を省略している）。
【００２０】
次に、この束金物１の作動および使用方法を説明する。高さ調整に関しては、まず未だ大引１４が受け台１２に支持されていない状態において、図１および２の一点鎖線で示されるように、筒状材側ロックナット１１を筒状材９の下端から離間させておいた上、手および／またはレンチ等の工具（図示せず）を用いて筒状材９をねじ軸３に対し回転し、ねじ軸３に対し筒状材９を昇降することにより、粗い調整を行う。レンチ等の工具を用いる場合は筒状材９に嵌合して筒状材９を回転させる。
【００２１】
なお、この粗い高さ調整時、皿ばね６の復元力が基台２に対するねじ軸３の回転に対し制動力を作用させているので、基本的には基台２に対しねじ軸３を回り止めしなくても、筒状材９とねじ軸３が共回りしてしまうことはないため、作業は容易である。
【００２２】
次に、受け台１２に大引を１４を載置した後、工具嵌合部４にレンチ等の工具（図示せず）を嵌合して基台２および筒状材９に対しねじ軸３を回転し、ねじ軸３ひいては基台２に対し筒状材９を昇降することにより、高さの微調整を行う。
【００２３】
しかる後に筒状材側ロックナット１１を締め付けて、図１，２，４の実線位置で示されるように、筒状材側ロックナット１１を筒状材９の下端に押圧してねじ軸３に対する筒状材９の回転、ひいては基台２およびねじ軸９に対する筒状材９の昇降をロックし、微調整
された高さをロックする。
【００２４】
このようにこの束金物１は、このターンバックル構造を備えることなく、高さ調整を行うことができ、製造コストを安価にすることができる。
【００２５】
また、本参考例では、結合穴２ｂがバーリング穴とされているので、結合穴２ｂの内周の高さを基台２の板厚より大きくすることができるため、基台２に対するねじ軸３の振れの発生を抑制するとともに、基台２に対するねじ軸３の引き抜き強度を向上させることができる。
【実施例１】
【００２６】
図５は本発明の実施例１を示している。本実施例においては、工具嵌合部４の上方かつ筒状材９の下方において、雄ねじ部５に基台側ロックナット１５が螺合されている。この基台側ロックナット１５は、袴ナットからなり、下端側に空間部１５ａおよびフランジ部１５ｂを有している。前記空間部１５ａは、基台側ロックナット１５の下端に開口しており、基台側ロックナット１５の下端が基台２の頂部上面に当接されたとき、基台側ロックナット１５と工具嵌合部４とが干渉しないように工具嵌合部４を収容する大きさを有している。他の構成は前記参考例１と同様である。
【００２７】
ねじ軸３と結合穴２ｂの内周面との間には小さな隙間が生じるので、前記高さの微調整後、基台２に対してねじ軸３が径方向に移動してしまう虞がある。特に皿ばね６による前記制動力が過大になって基台２に対しねじ軸３が回転しにくくなり、前記高さの微調整作業がやり難くなるのを避けるため、前記制動力を小さ目に設定する場合は、そのような不都合が生じることがあり得ると考えられる。また、前記高さの微調整後、振動等により筒状材側ロックナット１１が緩んで、微調整完了後の高さが狂ってしまう虞がある。
【００２８】
しかるに、本実施例では、前記微調整後、図５の実線位置で示されるように、基台側ロックナット１５を締め付け、基台側ロックナット１５の下端を基台２の頂部上面に押圧すれば、基台２に対しねじ軸３を上昇させ、皿ばね６をより一層圧縮することにより、前記基台２に対する軸３の径方向の移動を防止するとともに、前記制動力を増大させて、基台２に対するねじ軸３の回転、ひいては筒状材９に対するねじ軸３の回転、ひいては高さの変動を防止できる。
（参考例２）
【００２９】
図６は本発明の参考例２を示している。本参考例においては、皿ばね６が基台２と工具嵌合部４との間に介装されている。本参考例においても、ねじ軸３の下端部は径方向に突出するようにかしめ変形されており、かしめ変形部８と工具嵌合部４との間に上から順に皿ばね６，基台２の隆起部２ａの頂部、座金７が挟まれた状態になっている。また、前記かしめにより、皿ばね６が圧縮変形されて該皿ばね６の復元力（基台２に対しねじ軸３を上昇させる方向に作用している）が基台２と前記ねじ軸３との間に摩擦力を生じさせ、基台２に対する前記ねじ軸３の回転に対し制動力を作用させるようになっている。
【００３０】
なお、基台２の結合穴２ｂは、上方に突出するバーリング穴とされている。他の構成は前記参考例と同様である。
【００３１】
本参考例においても、前記参考例１と同様の作用効果を得ることができる。
【００３２】
なお、前記各参考例および実施例においては、皿ばね６を１枚のみ使用しているが、本発明においては、皿ばね６を複数重ねて用いてもよい。
【００３３】
また、前記各参考例および実施例においては、ねじ軸３の下端部のかしめ変形部８と皿ばね６との間に座金７が介装されているが、この座金７は必ずしも介装しなくてもよい。
【００３４】
前記各参考例および実施例においては、工具嵌合部４は横断面六角形状とされているが、本発明においては、工具嵌合部４は必ずしも横断面六角形状でなくてもよく、工具を嵌合し易い横断面非円形状であればよい。
【００３５】
また、前記各参考例および実施例においては、筒状材９が基本的に横断面四角形の角筒状をなしているが、本発明においては筒状材は他の形状であってもよく、例えば、基本的に丸パイプ状や、横断面四角形以外の角筒状をなしていてもよい。
【００３６】
さらに、本発明は、一般住宅の床のみならず、ビルの床、ＯＡフロアー、デッキ、ユニットバス、ユニットトイレ等の種々の建築物の床を支持する束金物に適用できるものである。また、前記各参考例および実施例においては、受け台１２はＬ字形をなしているが、受け台１２をＬ字形以外の形状としてもよい。また、本発明においては、筒状材が受け台以外の部材を介して、または直接大引を支持するようにしてもよい。また、筒状材が大引ではなく他の部材を介して床を支持するようにしてもよいし、直接床を支持するようにしてもよい。
【産業上の利用可能性】
【００３７】
以上のように本発明による束金物は、建築物において床を支持する束金物として有用である。
【符号の説明】
【００３８】
１    束金物
２    基台
２ｂ  基台の結合穴
３    ねじ軸
４    工具嵌合部
５    雄ねじ部
６    皿ばね
８    かしめ変形部
９    筒状材
１０    雌ねじ部
１１    筒状材側ロックナット
１２    受け台
１５    基台側ロックナット
１５ａ  空間部
【図１】
0005563264.tif 000002
【図２】
0005563264.tif 000003
【図３】
0005563264.tif 000004
【図４】
0005563264.tif 000005
【図５】
0005563264.tif 000006
【図６】
0005563264.tif 000007